(57)【要約】【課題】無線信号に含まれる送信信号の無線装置への伝送遅延を抑制することが可能な通信装置を提供する。【解決手段】通信装置１において、無線制御装置３は、送信信号を生成する信号生成部４１と、送信信号を含む無線信号を無線装置２が送信する送信タイミングに応じて送信信号を無線装置２へ伝送する伝送制御部４２と、信号生成部４１と伝送制御部４２とを接続し、送信タイミングに応じて信号生成部４１と伝送制御部４２とを結ぶ第１のルートにおける送信信号の伝送を他のルートにおける信号の伝送よりも優先するスイッチ４３とを有する。【選択図】図３
2018011220.tif 000002
【特許請求の範囲】
【請求項１】
送信信号を生成する無線制御装置と、前記無線制御装置と接続され、前記送信信号を含む無線信号を送信する無線装置とを有する通信装置であって、
前記無線制御装置は、
前記送信信号を生成する信号生成部と、
前記送信信号を含む前記無線信号を前記無線装置が送信する送信タイミングに応じて前記送信信号を前記無線装置へ伝送する伝送制御部と、
前記信号生成部と前記伝送制御部とを接続し、前記送信タイミングに応じて前記信号生成部と前記伝送制御部とを結ぶ第１のルートにおける前記送信信号の伝送を他のルートにおける信号の伝送よりも優先するスイッチと、
を有する通信装置。
【請求項２】
前記スイッチは、前記送信信号が前記信号生成部から出力されてから前記無線信号が生成されるまでの所要時間だけ前記送信タイミングよりも前から、前記送信信号が前記スイッチを通過するまでの間、前記他のルートにおける信号の伝送を停止する、請求項１に記載の通信装置。
【請求項３】
前記伝送制御部は、前記送信タイミングに応じて、前記スイッチに対して前記第１のルートにおける前記送信信号の伝送を前記他のルートにおける信号の伝送よりも優先することを指示する、請求項１または２に記載の通信装置。
【請求項４】
前記スイッチは、前記スイッチに対して前記第１のルートにおける前記送信信号の伝送を前記他のルートにおける信号の伝送よりも優先することが指示されると、前記信号生成部に対して前記送信信号の出力を開始することを指示する、請求項３に記載の通信装置。
【請求項５】
前記スイッチは、前記信号生成部が接続される第１の入力ポート及び前記他のルートを伝送される信号を生成する第２の信号生成部が接続される第２の入力ポートのそれぞれにおいて、セレクタと、バッファと、送出部とを有し、
前記第１の入力ポートにおいて、前記セレクタは、前記信号生成部から受け取った前記送信信号を前記バッファを介さずに前記送出部へ出力し、前記送出部は、前記送信信号を前記第１の入力ポートへ入力し、
前記第２の入力ポートにおいて、前記セレクタは、前記第２の信号生成部から受け取った信号を前記バッファに保存し、前記送出部は、前記第１のルートにおける前記送信信号の伝送が前記他のルートにおける信号の伝送よりも優先することが設定されていない間、前記バッファに保存されている信号を読み出して前記第２の入力ポートへ入力する、
請求項１〜４の何れか一項に記載の通信装置。
【請求項６】
前記第２の入力ポートにおいて、前記送出部は、前記バッファから前記信号を読み出して前記第２の入力ポートへ入力している途中において、前記第１のルートにおける前記送信信号の伝送が前記他のルートにおける信号の伝送よりも優先することが開始されると、前記バッファからの前記信号の読み出しを中断し、中断までに読み出された前記信号の部分に第１の中断信号を付加して前記第２の入力ポートへ入力するとともに、前記第１のルートにおける前記送信信号の伝送が前記他のルートにおける信号の伝送よりも優先することが終了すると、前記信号の残りの部分を前記バッファから読み出し、当該残りの部分に第２の中断信号を付加して前記第２の入力ポートへ入力する、請求項５に記載の通信装置。
【請求項７】
前記スイッチは、前記伝送制御部と接続される出力ポートにおいて、当該出力ポートから出力された信号に前記第１の中断信号または前記第２の中断信号が付されているか否か判定することで前記信号の前記部分及び前記残りの部分を検出し、検出した前記部分と前記残りの部分を結合して出力する中断検出部をさらに有する、請求項６に記載の通信装置。
【請求項８】
前記第１の中断信号は、前記信号の前記部分から算出される誤り検出符号を所定の変換規則に従って変換した値であり、かつ、前記第２の中断信号は、前記信号の前記残りの部分から算出される誤り検出符号を前記所定の変換規則に従って変換した値である、請求項６または７に記載の通信装置。
【請求項９】
送信信号を生成する無線制御装置と、前記無線制御装置と接続され、前記送信信号を含む無線信号を送信する無線装置とを有する通信装置における伝送制御方法であって、
前記無線制御装置において、
前記送信信号を生成する信号生成部と、前記無線装置が送信する送信タイミングに応じて前記送信信号を前記無線装置へ伝送する伝送制御部とを接続するスイッチについて、前記送信タイミングに応じて前記信号生成部と前記伝送制御部とを結ぶ第１のルートにおける前記送信信号の伝送を他のルートにおける信号の伝送よりも優先することを設定し、
前記設定後に前記送信信号を前記第１のルートを介して前記信号生成部から前記伝送制御部へ伝送する、
ことを含む伝送制御方法。
【発明の詳細な説明】
【技術分野】
【０００１】
本発明は、例えば、無線装置と無線制御装置とを有する通信装置、及びそのような通信装置で利用される送信信号の伝送制御方法に関する。
【背景技術】
【０００２】
移動体通信システムにおいて、基地局が、少なくとも一つの無線装置(Radio Equipment, RE)と無線制御装置(Radio Equipment Controller, REC)とを有することがある。REは、無線処理部及びアンテナを有する。そしてREは、RECから受け取ったダウンリンク信号を搬送波に重畳して無線信号を生成し、その無線信号を移動局へ送信する。またREは、移動局からアンテナを介して受信した無線信号からベースバンド周波数を持つアップリンク信号を取り出してRECへ送信する。一方、RECは、移動局との接続制御、スケジューリング、ダウンリンク信号の同相−直交位相(IQ)データの生成、及び、受信したアップリンク信号からのデータ信号及び制御信号の取出しといった処理を実行する。REとRECとは、例えば、光ファイバケーブルなどの信号線で接続され、Common Public Radio Interface (CPRI)に従って互いに通信可能となっている（例えば、非特許文献１を参照）。そして、RECからREへ伝送されるダウンリンク信号のIQデータは、例えば、CPRIフレームの所定位置に格納された上で伝送される。
【０００３】
また、第３世代パートナーシッププロジェクト(Third Generation Partnership Project、3GPP)により標準化された通信規格であるロング・ターム・エボリューション(Long Term Evolution, LTE)及び現在検討されているLTE-Advancedでは、時分割複信(Time Division Duplex, TDD)が採用されている。例えば、TDDが採用されたLTEでは、フレームは、時間方向に沿って10個のサブフレームに分割される。各サブフレームは、時間方向に沿って２個のスロットを有し、各スロットは、時間方向に沿って７個のシンボルと周波数方向に沿って所定数のサブキャリアを有する。シンボルとサブキャリアの個々の組み合わせは、移動局との無線通信に利用される無線リソースと呼ばれる。無線リソースは、時間方向に沿って７個のシンボルと周波数方向に沿って１２個のサブキャリアを持つリソースブロック(Resouce Block)単位でスケジューリングにて選択された移動局に割り当てられる（例えば、非特許文献２を参照）。
【先行技術文献】
【非特許文献】
【０００４】
【非特許文献１】CPRI Specification V6.0, 2013年8月30日
【非特許文献２】3GPP TS36.211 V11.1.0, 2012年12月
【発明の概要】
【発明が解決しようとする課題】
【０００５】
REとRECとを持つ基地局では、RECからREへのダウンリンク信号の伝送においてREとREC間の距離に応じた遅延が生じる。そのため、ダウンリンク信号のIQデータは、割り当てられた無線リソースで規定される送信タイミングに間に合うように、その遅延分を考慮してその送信タイミングよりも前に生成され、かつ、REへ送信されることが求められる。
【０００６】
RECにおいて、IQデータを生成するモジュールとCPRIフレームを生成するモジュールとが直結される場合には、IQデータが生成されてからCPRIフレームに格納されるまでに要する所要時間はほぼ一定となる。そのため、その所要時間を考慮してIQデータが生成されるタイミングが調節されればよい。しかしながら、RECにおいて、IQデータを生成するモジュールとCPRIフレームを生成するモジュールとが、伝送路を介して接続されることがある。このような場合、IQデータを生成するモジュールからCPRIフレームを生成するモジュールまでのIQデータの伝送経路（以下、ルートとも呼ぶ）において、輻輳などにより遅延が生じることがある。遅延が生じると、所定の無線リソースを使用して送信しようとしているIQデータがCPRIフレームの対応位置がREへ出力されるタイミングに間に合わず、結果として、その無線リソースにて、所望のダウンリンク信号を送信できないことがある。
【０００７】
一つの側面では、本発明は、無線信号に含まれる送信信号の無線装置への伝送遅延を抑制することが可能な通信装置を提供することを目的とする。
【課題を解決するための手段】
【０００８】
一つの実施形態によれば、送信信号を生成する無線制御装置と、無線制御装置と接続され、送信信号を含む無線信号を送信する無線装置とを有する通信装置が提供される。この通信装置において、無線制御装置は、送信信号を生成する信号生成部と、送信信号を含む無線信号を無線装置が送信する送信タイミングに応じて送信信号を無線装置へ伝送する伝送制御部と、信号生成部と伝送制御部とを接続し、送信タイミングに応じて信号生成部と伝送制御部とを結ぶ第１のルートにおける送信信号の伝送を他のルートにおける信号の伝送よりも優先するスイッチとを有する。
【０００９】
他の実施形態によれば、送信信号を生成する無線制御装置と、無線制御装置と接続され、送信信号を含む無線信号を送信する無線装置とを有する通信装置における伝送制御方法が提供される。この伝送制御方法は、無線制御装置において、送信信号を生成する信号生成部と、無線装置が送信する送信タイミングに応じて送信信号を無線装置へ伝送する伝送制御部とを接続するスイッチについて、送信タイミングに応じて信号生成部と伝送制御部とを結ぶ第１のルートにおける送信信号の伝送を他のルートにおける信号の伝送よりも優先することを設定し、その設定後に送信信号を第１のルートを介して信号生成部から伝送制御部へ伝送する、ことを含む。
【発明の効果】
【００１０】
無線信号に含まれる送信信号の無線装置への伝送遅延を抑制することができる。
【図面の簡単な説明】
【００１１】
【図１】一つの実施形態による基地局の概略構成図である。
【図２】無線制御装置の概略構成図である。
【図３】IQデータの生成及び無線装置へのIQデータの伝送に関する、無線制御装置の制御部の概略構成図である。
【図４】CPRI機能部の概略構成図である。
【図５】スイッチの概略構成図である。
【図６】（ａ）は、優先ルート設定要求パケットの構造の一例を示す図である。（ｂ）は、IQデータパケットの構造の一例を示す図である。
【図７】伝送制御処理のシーケンス図である。
【図８】制御パケットの送出中断時における、制御パケットの送信処理の概要の説明図である。
【発明を実施するための形態】
【００１２】
以下、図を参照しつつ、通信装置の一つの実施形態による基地局について説明する。
この基地局は、少なくとも一つのREとRECとを有し、REとRECとは、光ファイバケーブルなどを介して接続され、CPRIに準拠して、ダウンリンク信号及びアップリンク信号がREとREC間で伝送される。RECは、IQデータを生成するモジュールとCPRIフレームを生成するモジュールとを有し、それらのモジュールは、他のモジュール（例えば、制御信号を生成するモジュール）とも接続されるスイッチを介して接続される。そしてRECは、IQデータを含む無線信号がREから送信されるタイミングに応じて、RECからREへ伝送されるCPRIフレームの対応位置にそのIQデータが格納されるように、IQデータの伝送経路を優先するようスイッチを制御する。
【００１３】
本実施形態では、通信装置は、LTEまたはLTE-Advancedに準拠する基地局とする。しかし、通信装置は、RECとREとを含むことが可能な他の様々な無線通信規格に準拠するものであってもよい。
【００１４】
図１は、一つの実施形態による基地局の概略構成図である。基地局１は、無線装置(RE)２と無線制御装置(REC)３とを有する。RE２とREC３とは、光ファイバケーブル４にて互いに接続される。そして光ファイバケーブル４を介して、ダウンリンク信号及びアップリンク信号がCPRIに準拠した方式に従ってREとREC間で伝送される。なお、本実施形態では、基地局１が有するREは一つであるが、基地局１は、複数のREを有していてもよい。この場合も、各REは、光ファイバケーブルによりREC３と接続され、各REとREC３間の信号の伝送は、CPRIに準拠した方式に従って行われればよい。
【００１５】
RE２は、アンテナ２１と、無線処理部２２とを有する。アンテナ２１は、無線処理部２２を介して伝達されたダウンリンク信号を含む無線信号を送信する。またアンテナ２１は、移動局（図示せず）からの無線信号を受信して電気信号に変換して無線処理部２２に伝達する。なお、アンテナ２１は、送信用のアンテナと受信用のアンテナとを別個に有していてもよい。
【００１６】
無線処理部２２は、例えば、一つまたは複数の集積回路により形成され、REC３から光ファイバケーブル４を介して受け取ったダウンリンク信号のIQデータをアナログ化した後、REC３により指定された無線周波数を持つ搬送波に重畳して無線信号とする。そして無線処理部２２は、無線信号をハイパワーアンプ（図示せず）により所望のレベルに増幅し、その無線信号をアンテナ２１へ伝達する。
【００１７】
また無線処理部２２は、アンテナ２１から受け取った無線信号を、低ノイズアンプ（図示せず）により増幅する。無線処理部２２は、増幅された無線信号に、中間周波数を持つ周期信号を乗じることにより、無線信号にて搬送されたアップリンク信号を取り出す。そして無線処理部２２は、アップリンク信号をアナログ／デジタル変換した後、光ファイバケーブル４を介してREC３へ伝送する。
【００１８】
図２は、REC３の概略構成図である。REC３は、有線インターフェース部３１と、記憶部３２と、制御部３３とを有する。有線インターフェース部３１、記憶部３２、及び制御部３３は、それぞれ別個の回路として形成される。あるいはこれらの各部は、その各部に対応する回路が集積された一つまたは複数の集積回路としてREC３に実装されてもよい。
【００１９】
有線インターフェース部３１は、REC３を、上位ノード（図示せず）及び他の基地局（図示せず）と接続するための通信インターフェース回路を有する。そして有線インターフェース部３１は、上位ノードから受信した信号を、S1インターフェースに従って解析し、その信号に含まれるダウンリンク信号及び制御信号を抽出する。さらに有線インターフェース部３１は、他の基地局から受信した信号を、X2インターフェースに従って解析し、その信号に含まれる制御信号を抽出する。そして有線インターフェース部３１は、抽出したダウンリンク信号及び制御信号を制御部３３に渡す。
【００２０】
一方、有線インターフェース部３１は、制御部３３から受け取ったアップリンク信号をS1インターフェースに従った形式の信号に変換した上で上位ノードへ出力する。また有線インターフェース部３１は、他の基地局へ送信する制御信号を、X2インターフェースに従った形式に変換する。そして有線インターフェース部３１は、その制御信号を他の基地局へ出力する。
【００２１】
記憶部３２は、例えば、書き換え可能な不揮発性半導体メモリまたは揮発性半導体メモリを有する。そして記憶部３２は、移動局と通信するための各種の情報、REC３がRE２を介して送信または受信する各種の情報、及び、REC３で動作する各種のプログラムなどを記憶する。
【００２２】
制御部３３は、例えば、複数個の集積回路と、それら集積回路を接続するスイッチなどを有する。そして制御部３３は、移動局へのリソースの割り当て、送信電力制御、呼制御、再送制御及びハンドオーバに関する処理など、無線通信を実行するための各種の処理を実行する。
【００２３】
さらに、制御部３３は、ダウンリンク信号を、基地局１が準拠する通信規格で採用される変調及び多重化方式に従って変調することで、ダウンリンクのIQデータを生成する。そして制御部３３は、生成したIQデータを、光ファイバケーブル４を介してRE２へ送信する。
【００２４】
一方、制御部３３は、RE２から光ファイバケーブル４を介して受け取ったアップリンク信号を、基地局１が準拠する通信規格で採用される変調及び多重化方式に従って分離し、分離した受信信号をそれぞれ復調する。そして制御部３３は、復調されたアップリンク信号を有線インターフェース部３１に出力する。さらに制御部３３は、復調されたアップリンク信号から、REC３が参照するアップリンクの制御情報などを取り出す。
【００２５】
図３は、IQデータの生成及びRE２へのIQデータの伝送に関する、制御部３３の概略構成図である。制御部３３は、制御信号生成部４０と、IQデータ生成部４１と、CPRI機能部４２と、スイッチ４３とを有する。スイッチ４３は、複数入力複数出力(Multi Pole Multi Throw, MPMT)タイプのスイッチであり、制御信号生成部４０、IQデータ生成部４１及びCPRI機能部４２は、スイッチ４３を介して接続される。本実施形態では、スイッチ４３は、３個の入力ポート#1〜#3と、３個の出力ポート#1〜#3とを有する。そして制御信号生成部４０は、スイッチ４３の入力ポート#2と、出力ポート#2とに接続される。また、IQデータ生成部４１は、スイッチ４３の入力ポート#1と、出力ポート#1とに接続される。そしてCPRI機能部４２は、スイッチ４３の入力ポート#3と、出力ポート#3とに接続される。したがって、本実施形態では、IQデータ生成部４１と接続される入力ポート#1とCPRI機能部４２と接続される出力ポート#3との間に、優先ルートが適宜設定される。
【００２６】
本実施形態では、スイッチ４３を介して伝送される信号は、所定の通信規格に準拠したパケットの形式で伝送される。所定の通信規格は、例えば、イーサネット（登録商標）とすることができる。また、スイッチ４３は、パケットのヘッダに格納されている宛先情報を参照することで、そのパケットの出力ポートを決定する。そして例えば、IQデータ生成部４１から出力されたパケット、及び、制御信号生成部４０から出力されたパケットは、スイッチ４３を介してCPRI機能部４２へ伝送される。また、CPRI機能部４２から制御信号生成部４０またはIQデータ生成部４１へ送信されるパケットも、スイッチ４３を介して伝送される。また、パケットには、誤り検出符号が付される。なお、誤り検出符号として、例えば、Frame Check Sequence(FCS)が用いられる。
【００２７】
なお、スイッチ４３が有する入力ポートの数は３個に限られず、例えば、４個以上であってもよい。同様に、スイッチ４３が有する出力ポートの数も、３個に限られず、４個以上であってもよい。また、スイッチ４３と接続される制御信号生成部４０の数は、１個に限られず、複数であってもよい。同様に、スイッチ４３と接続されるIQデータ生成部４１の数は、１個に限られず、複数であってもよい。さらに、制御部３３は、基地局１が有するRE２の数と同じ数のCPRI機能部４２を有していてもよい。さらに、スイッチ４３には、IQデータパケット及び制御パケット以外の信号を生成する装置が接続されてもよい。
【００２８】
制御信号生成部４０は、RE２を制御するための制御信号を生成する。制御信号は、例えば、搬送波の周波数を指定する情報などを含む。そして制御信号生成部４０は、制御信号を含むパケットを生成し、そのパケットをスイッチ４３へ出力する。なお、以下では、制御信号を含むパケットを制御パケットと呼ぶ。
【００２９】
IQデータ生成部４１は、信号生成部の一例であり、スケジューリングにより選択された変調方式に従ってダウンリンク信号を変調することでIQデータを生成する。なお、IQデータは、送信信号の一例である。その際、IQデータ生成部４１は、IQデータが無線信号の送信タイミングに間に合うように、その送信タイミングよりも所定時間前にIQデータを生成し、IQデータ生成部４１が有するバッファ（図示せず）に保存する。そしてIQデータ生成部４１は、スイッチ４３から、IQデータの送信を要求する送信要求パケットを受信すると、バッファに保存されているIQデータをパケット化し、そのパケットをスイッチ４３へ出力する。なお、以下では、IQデータを含むパケットをIQデータパケットと呼ぶ。
【００３０】
CPRI機能部４２は、伝送制御部の一例であり、CPRIに準拠して、IQデータ生成部４１から受け取ったIQデータ及び制御信号などを光ファイバケーブル４を介してRE２へ伝送する。
【００３１】
図４は、CPRI機能部４２の概略構成図である。CPRI機能部４２は、タイミング決定部４２１と、パケット生成部４２２と、エラーチェック部４２３と、バッファ４２４と、フレーム生成部４２５とを有する。CPRI機能部４２が有するこれらの各部は、例えば、一つまたは複数の集積回路により実現される。
【００３２】
タイミング決定部４２１は、ダウンリンク信号中の個々のIQデータについて、そのIQデータの出力開始をIQデータ生成部４１に指示するタイミング（以下、単に出力指示タイミングと呼ぶ）を決定する。例えば、無線信号のフレームの先頭に位置するIQデータは、CPRIフレームのハイパーフレームナンバー=0、ベーシックフレームナンバー=0の位置に格納されることが求められる。このように、IQデータごとに、CPRIフレームにおける各納位置が定められる。また、IQデータパケットには、複数のIQデータが格納可能である。そのために、一つのIQデータパケットで伝送されるIQデータの組ごとに適切な出力指示タイミングが決定されることが求められる。
【００３３】
そこで、タイミング決定部４２１は、個々のIQデータパケットについて、そのIQデータパケットで伝送されるIQデータを含む無線信号の送信タイミングから、所定の所要時間を減じることで出力指示タイミングを決定する。なお、所要時間は、例えば、IQデータ生成部４１からRE２までのIQデータパケットの伝送に要する時間と、送信指示がCPRI機能部４２からIQデータ生成部４１に到達するまでに要する時間を含み、予め測定される。そしてその所要時間は、タイミング決定部４２１が有する不揮発性のメモリ回路（図示せず）に記憶される。
【００３４】
タイミング決定部４２１は、無線信号の各フレームのタイミングと同期したクロックを参照して、個々のIQデータパケットについての出力指示タイミングを決定する。そしてタイミング決定部４２１は、出力指示タイミングになる度に、出力指示タイミングになったことをパケット生成部４２２に通知する。
【００３５】
さらに、タイミング決定部４２１は、バッファ４２４に格納されているIQデータがRE２へ伝送されるタイミングになると、その旨をフレーム生成部４２５に通知する。
【００３６】
パケット生成部４２２は、タイミング決定部４２１から出力指示タイミングとなったことを通知されると、IQデータの伝送経路を優先させることをスイッチ４３に指示する優先ルート設定要求パケットを生成する。その際、パケット生成部４２２は、優先ルート上に位置するスイッチ４３の入力ポートの識別番号及び出力ポートの識別番号を優先ルート設定要求パケットに含める。なお、優先ルート上に位置するスイッチ４３の入力ポートの識別番号及び出力ポートの識別番号は、CPRI機能部４２が有するメモリ回路に予め記憶されればよい。そしてパケット生成部４２２は、優先ルート設定要求パケットをスイッチ４３へ出力する。これにより、CPRI機能部４２は、スイッチ４３に対して優先ルートを適切なタイミングで設定させることができる。
【００３７】
また、パケット生成部４２２は、エラーチェック部４２３から再送の要求を指示されると、パケットの送信元、例えば、IQデータ生成部４１に対してパケットの再送を要求する再送要求パケットを生成する。そしてパケット生成部４２２は、その再送要求パケットをスイッチ４３を介してその送信元へ送信する。
【００３８】
エラーチェック部４２３は、スイッチ４３から受信したパケットに含まれる誤り検出符号に基づいて、パケットに誤りがあるか否かを判定する。そしてエラーチェック部４２３は、パケットに誤りが無い場合、そのパケットに格納されているデータ、例えば、IQデータを取り出して、バッファ４２４に保存する。一方、パケットに誤りがある場合、エラーチェック部４２３は、そのパケットを廃棄する。そしてエラーチェック部４２３は、パケットの送信元の情報をパケット生成部４２２に通知するとともに、パケットの再送を要求することを指示する。
【００３９】
バッファ４２４は、CPRI機能部４２が受信したIQデータ、制御信号などを一時的に保存する。そしてバッファ４２４に保存されたIQデータは、そのIQデータがRE２へ送信されるタイミング応じてフレーム生成部４２５により読み出される。これにより、IQデータを含むパケットがCPRI機能部４２に到着するタイミングが揺らぐ場合でも、CPRI機能部４２は、そのタイミングの揺らぎを補正して、IQデータをCPRIフレームの対応する位置に格納することができる。
同様に、バッファ４２４に保存された制御信号も、その制御信号を送信可能なタイミングに応じてフレーム生成部４２５により読み出され、RE２へ送信される。
【００４０】
フレーム生成部４２５は、CPRIフレームを生成し、そのCPRIフレームを光ファイバケーブル４を介してRE２へ送信する。そのために、フレーム生成部４２５は、タイミング決定部４２１からIQデータをRE２へ伝送するタイミングであることを通知されると、バッファ４２４から対応するIQデータを読み出し、CPRIフレーム上の対応位置にそのIQデータを格納する。
【００４１】
また、フレーム生成部４２５は、バッファ４２４から制御信号を読み出し、その制御信号を、CPRIフレームにおける、制御信号伝送用の領域に格納することで、その制御信号をRE２へ伝送する。なお、制御信号については、IQデータほど送信されるタイミングが厳密に設定されなくてもよいので、フレーム生成部４２５は、IQデータを制御信号よりも優先してRE２へ伝送すればよい。
【００４２】
なお、CPRI機能部４２は、RE２から光ファイバケーブル４を介して伝送されたアップリンクのIQデータを取り出して、そのIQデータをアップリンク信号を処理する回路へ出力してもよい。
【００４３】
次に、スイッチ４３の詳細について説明する。
図５は、スイッチ４３の概略構成図である。本実施形態では、スイッチ４３は、３個の入力ポート#1〜#3と３個の出力ポート#1〜#3とを有する。そしてスイッチ４３は、IQデータ生成部４１または制御信号生成部４０と接続される入力ポート#1、#2において、それぞれ、セレクタ４３１と、バッファ４３２と、送出部４３３とを有する。またCPRI機能部４２と接続される入力ポート#3において、スイッチ４３は、パケット解析部４３４を有する。さらに、スイッチ４３は、IQデータ生成部４１と接続される出力ポート#1、#2において、それぞれ、要求パケット生成部４３５と、送信パケット選択部４３６とを有する。さらにまた、スイッチ４３は、CPRI機能部４２と接続される出力ポート#3において、エラーチェック部４３７と、バッファ４３８と、セレクタ４３９とを有する。さらに、スイッチ４３は、スイッチ制御部４４０を有する。
【００４４】
セレクタ４３１は、外部から受け取ったパケットの送信先を、バッファ４３２及び送出部４３３の何れかに選択する。本実施形態では、IQデータ生成部４１と接続されている入力ポート#1では、セレクタ４３１は、IQデータパケットを送出部４３３へ直接出力する。一方、制御信号生成部４０と接続されている入力ポート#2では、セレクタ４３１は、制御パケットをバッファ４３２に書き込む。
【００４５】
バッファ４３２は、例えば、先入れ先出し型のメモリ回路を有し、制御信号生成部４０からセレクタ４３１を介して受け取った制御パケットを一時的に保存する。そしてバッファ４３２は、先に受信した制御パケットから順に送出部４３３へ出力する。なお、出力された制御パケットは、バッファ４３２から消去されてもよい。
【００４６】
IQデータ生成部４１と接続されている入力ポート#1では、送出部４３３は、セレクタ４３１から受け取ったIQデータパケットをスイッチ４３の本体４４１へ入力する。一方、制御信号生成部４０と接続されている入力ポート#2では、送出部４３３は、優先ルートが設定されていない間、バッファ４３２の保存されているパケットを順次読み出してスイッチ４３の本体４４１へ入力する。このように、IQデータ生成部４１と接続される入力ポート#1では、IQデータパケットがセレクタ４３１から直接送出部４３３に渡されるので、IQデータパケットの伝送における遅延が抑制される。さらに、入力ポート#2では、送出部４３３は、他の入力ポートを経由する優先ルートが設定されている間、バッファ４３２からの制御パケットの読み出し及び制御パケットの送出を停止する。これにより、優先ルートの設定中、スイッチ４３にて輻輳が生じることが防止される。
【００４７】
また制御信号生成部４０と接続されている入力ポート#2では、送出部４３３は、制御パケットが送出部４３３から送出されている途中において何れかの優先ルートが設定された場合、制御パケットの読み出し及び送出を中断する。そして送出部４３３は、読み出し及び送出が中断されるまでの間にバッファ４３２から読み出された制御パケットの部分に対して、読み出しが中断されたことを表す中断信号を付す。
【００４８】
本実施形態では、中断信号として、誤り検出符号を所定の変換規則に従って変換したものが用いられる。例えば、送出部４３３は、送出が中断されるまでの間にバッファ４３２から読み出された制御パケットの部分に対してFCSを計算し、得られたFCSの各ビットの値を反転させたものを、中断信号としてその部分に付す。あるいは、送出部４３３は、得られたFCSの各ビットのうち、所定の一つまたは二つのビットの値を反転させたものを中断信号として用いてもよい。このような中断信号が用いられることにより、送出が中断された制御パケットか否かを判断することが容易となる。そして送出部４３３は、中断信号が付された制御パケットの一部をスイッチ４３の本体４４１へ送出する。また送出部４３３は、その制御パケットにおいて送出が中断された位置、及び、その制御パケットのヘッダ情報を記憶する。
【００４９】
その後、送出部４３３は、優先ルートの設定が解除されると、送出部４３３は、送出が中断された位置以降の制御パケットの残りの部分をバッファ４３２から読み出して、その残りの部分にその制御パケットのヘッダ情報を付す。さらに、送出部４３３は、その残りの部分に対しても中断信号を付す。この中断信号は、上記と同様に、誤り検出符号を所定の変換規則に従って変換したものとすることができ、例えば、その残りの部分に対して計算したFCSの各ビットの値または所定のビットの値を反転させたものとすることができる。そして送出部４３３は、中断信号が付された制御パケットの残りの部分をスイッチ４３の本体４４１へ送出する。なお、バッファ４３２は、送出が中断するまでの間に読み出された部分については消去してもよい。この場合には、優先ルートの設定解除後に読み出される制御パケットの先頭位置が中断位置となるので、送出部４３３は、中断位置を記憶しなくてもよい。
【００５０】
これにより、制御パケットがスイッチ４３内を伝送されている途中でも、スイッチ４３は、優先ルートを設定して、IQデータパケットの伝送を優先することができる。
【００５１】
CPRI機能部４２と接続される入力ポート#3に設けられるパケット解析部４３４は、CPRI機能部４２から受信したパケットを解析して、そのパケットが優先ルート設定要求パケットか否か判定する。例えば、パケット解析部４３４は、受信したパケットのヘッダ情報を参照することで、受信したパケットが優先ルート設定要求パケットか否か判定することができる。
【００５２】
受信したパケットが優先ルート設定要求パケットである場合、パケット解析部４３４は、そのパケットに含まれる、優先ルートとして設定する入力ポートの番号と出力ポートの番号、及び、優先ルートを設定することをスイッチ制御部４４０へ通知する。
【００５３】
一方、受信したパケットが優先ルート設定要求パケットでない場合（例えば、再送要求パケットである場合）、パケット解析部４３４は、受信したパケットをスイッチ４３の本体４４１へ出力する。この場合、そのパケットは、そのパケットに含まれる宛先情報に基づいて伝送される。
【００５４】
IQデータ生成部４１と接続される出力ポート#1に設けられる要求パケット生成部４３５は、スイッチ制御部４４０からIQデータ生成部４１に対して優先ルートが設定されることを通知されると、IQデータパケットの送信を要求する送信要求パケットを生成する。そして要求パケット生成部４３５は、送信要求パケットを送信パケット選択部４３６へ出力する。これにより、スイッチ４３は、優先ルートの設定に合わせて、IQデータ生成部４１に遅滞なくIQデータパケットの送出を開始させることができる。
【００５５】
出力ポート#1に設けられる送信パケット選択部４３６は、出力ポート#1から出力されたパケット（例えば、再送要求パケット）または要求パケット生成部４３５からの送信要求パケットを受け取る。そして送信パケット選択部４３６は、その受け取ったパケットを、IQデータ生成部４１へ出力する。また、制御信号生成部４０と接続された出力ポート#2に設けられた送信パケット選択部４３６は、出力ポート#2から出力されたパケット（例えば、再送要求パケット）を、制御信号生成部４０へ出力する。
【００５６】
CPRI機能部４２と接続される出力ポート#3に設けられたエラーチェック部４３７は、中断検出部の一例である。エラーチェック部４３７は、その出力ポートを経由する優先ルートが設定されていない場合、パケットに中断信号が付されているか否かに基づいて、そのパケットが送出が中断された制御パケットか否かを判定する。例えば、エラーチェック部４３７は、パケットに付された誤り検出符号の値が、中断信号に相当する、所定の変換規則に従って変換された誤り検出符号の値と一致するか否か判定する。そしてエラーチェック部４３７は、両者が一致する場合、そのパケットは送出が中断された制御パケットであると判定し、両者が一致しない場合、そのパケットは、送出が中断された制御パケットでないと判定する。例えば、上記のように、所定の変換規則に従って変換された誤り検出符号が、各ビットまたは所定のビットの値が反転されたFCSであるとする。この場合、パケットに付されたFCSの各ビットまたは所定のビットの値が、そのパケットについて算出したFCSの各ビットの値を反転させたものとなっている場合、エラーチェック部４３７は、そのパケットは送出が中断された制御パケットであると判定する。
【００５７】
エラーチェック部４３７は、受信したパケットが送出が中断された制御パケットである場合、そのパケットから中断信号を除去してバッファ４３８に保存する。そしてエラーチェック部４３７は、送出が中断された制御パケットを次に受信した場合、後から受信した、送出が中断された制御パケットから、ヘッダ情報及び中断信号を除去する。そしてエラーチェック部４３７は、後から受信した、送出が中断された制御パケットの残りの部分を、バッファ４３８に保存されている、先に受信した、送出が中断された制御パケットの一部に結合することで、その制御パケットを復元する。そしてエラーチェック部４３７は、復元した制御パケットをバッファ４３８に保存する。これにより、優先ルートの設定により制御パケットの伝送が中断されても、エラーチェック部４３７は、伝送が中断された制御パケットを再送することなく復元できる。
【００５８】
また、エラーチェック部４３７は、受信したパケットが送出が中断されていない制御パケットである場合、そのパケットそのものをバッファ４３８に保存する。
【００５９】
さらに、エラーチェック部４３７が設けられている出力ポートについて優先ルートが設定されている間、エラーチェック部４３７は、出力ポートから受け取ったパケット（すなわち、IQデータパケット）を、セレクタ４３９へ直接渡す。
【００６０】
バッファ４３８は、エラーチェック部４３７により書き込まれた制御パケット、及び、送出が中断された制御パケットの一部を一時的に保存する。そしてバッファ４３８は、セレクタ４３９から制御パケットが読み出される度に、その読み出された制御パケットを消去する。なお、バッファ４３８は、制御パケットを保存するメモリ回路と、送出が中断された制御パケットの一部を保存するメモリ回路とを別個に有していてもよい。
【００６１】
セレクタ４３９は、セレクタ４３９が設けられている出力ポート（この例では、出力ポート#3）を経由する優先ルートが設定されている間、IQデータパケットをエラーチェック部４３７から直接受け取り、そのパケットをCPRI機能部４２へ出力する。一方、セレクタ４３９は、バッファ４３８からの制御パケットの読み出しを停止する。そしてセレクタ４３９は、CPRI機能部４２へ出力する個々のパケットのヘッダ情報を解析することで、IQデータパケットがセレクタ４３９を通過したことを確認すると、その旨をスイッチ制御部４４０へ通知する。一方、セレクタ４３９が設けられている出力ポートを経由する優先ルートが設定されていなければ、セレクタ４３９は、制御パケットをバッファ４３８から読み出して、そのパケットをCPRI機能部４２へ出力する。
【００６２】
スイッチ制御部４４０は、パケット解析部４３４から優先ルートを設定することが通知されると、優先ルート設定要求パケットに含まれる、優先ルートとして設定する入力ポートの番号と出力ポートの番号を参照して、優先ルートを設定する。そしてスイッチ制御部４４０は、優先ルート上にある入力ポートに設けられた送出部４３３、及び、優先ルート上にある出力ポートに設けられたエラーチェック部４３７とセレクタ４３９に、優先ルートとなることを通知する。またスイッチ制御部４４０は、優先ルート外にある入力ポートに設けられた送出部４３３、及び優先ルート外にある出力ポートに設けられたエラーチェック部４３７とセレクタ４３９に、他に優先ルートが設定されたことを通知する。
【００６３】
また、スイッチ制御部４４０は、優先ルート設定後に、優先ルート上のセレクタ４３９からIQデータを含むパケットが通過したことを通知されるか、あるいは、優先ルートを設定してから所定期間が経過すると優先ルートの設定を解除する。その際、スイッチ制御部４４０は、各入力ポートの送出部４３３、及び、各出力ポートのエラーチェック部４３７及びセレクタ４３９に、優先ルートの設定を解除することを通知する。
【００６４】
図６（ａ）は、優先ルート設定要求パケットの構造の一例を示す図である。この例では、優先ルート設定要求パケット６００は、イーサネット（登録商標）に準拠したパケットであり、UDPヘッダの送信元ポート番号６０１及び宛先ポート番号６０２と、データエリア６０３とを含む。そして送信元ポート番号６０１の値（この例では、'60000'）と宛先ポート番号６０２の値（この例では、'60001'）の組み合わせにより、優先ルート設定要求パケットであることが特定される。また、データエリア６０３には、優先ルートに設定される出力ポートの識別番号と、優先ルートに設定される入力ポートの識別番号とが含まれる。
【００６５】
図６（ｂ）は、IQデータパケットの構造の一例を示す図である。この例では、IQデータパケット６１０は、イーサネット（登録商標）に準拠したパケットであり、UDPヘッダの送信元ポート番号６１１及び宛先ポート番号６１２と、データエリア６１３とを含む。そして送信元ポート番号６１１の値（この例では、'60000'）と宛先ポート番号６１２の値（この例では、'60003'）の組み合わせにより、IQデータパケットであることが特定される。また、データエリア６１３には、所定数（例えば、8chip）のIQデータが含まれる。
【００６６】
図７は、本実施形態による、伝送制御処理のシーケンス図である。なお、この例では、優先ルートとして、入力ポート#1と出力ポート#3とを結ぶルートが設定されるものとする。
【００６７】
CPRI機能部４２は、出力指示タイミングになると、優先ルート設定要求パケットを生成し、その優先ルート設定要求パケットをスイッチの入力ポート#3へ送信する（ステップＳ１０１）。入力ポート#3に設けられたパケット解析部４３４は、受信した優先ルート設定要求パケットに含まれる、優先ルート上の入力ポートの識別番号と出力ポートの識別番号、及び、優先ルートを設定することをスイッチ制御部４４０へ通知する（ステップＳ１０２）。
【００６８】
スイッチ制御部４４０は、優先ルート上にある入力ポート#1に設けられた送出部４３３、及び、出力ポート#3に設けられたエラーチェック部４３７とセレクタ４３９に、優先ルートとなることを通知する（ステップＳ１０３）。またスイッチ制御部４４０は、優先ルート外にある入力ポート#2に設けられた送出部４３３に、他に優先ルートが設定されたことを通知する（ステップＳ１０４）。
【００６９】
さらに、スイッチ制御部４４０は、IQデータ生成部４１と接続される出力ポート#1の要求パケット生成部４３５に、送信要求パケットの生成を指示する（ステップＳ１０５）。出力ポート#1の要求パケット生成部４３５は、送信要求パケットの生成を指示されると、送信要求パケットを生成し、IQデータ生成部４１へその送信要求パケットを送信する（ステップＳ１０６）。
【００７０】
入力ポート#1と接続されたIQデータ生成部４１は、送信要求パケットを受信すると、IQデータパケットを生成し、IQデータパケットを入力ポート#1へ送出する（ステップＳ１０７）。そして入力ポート#1へ入力されたIQデータパケットは、出力ポート#3からCPRI機能部４２へ伝送される（ステップＳ１０８）。
【００７１】
CPRI機能部４２は、受信したIQデータパケットに含まれる各IQデータをCPRIフレーム上の対応位置に格納してRE２へ送出する（ステップＳ１０９）。
【００７２】
また、出力ポート#3のセレクタ４３９は、IQデータパケットがCPRI機能部４２へ出力されると、その旨をスイッチ制御部４４０へ通知する（ステップＳ１１０）。そしてスイッチ制御部４４０は、各ポートに対して、優先ルートの設定の解除を通知する（ステップＳ１１１）。そして制御部３３は、伝送制御処理を終了する。
【００７３】
図８は、制御パケットの送出中断時における、制御パケットの送信処理の概要の説明図である。図８において、左側は入力ポートでの処理を表し、右側は出力ポートでの処理を表す。また、縦軸は処理の手順を表す。
【００７４】
入力ポート#2において、制御パケット８００の一部８００ａがバッファ４３２から読み出された時点で、入力ポート#1に優先ルートが設定されたとする。この場合、送出部４３３にて、制御パケット８００の一部８００ａに対してFCSが算出され、そのFCSの各ビットまたは所定のビットの値を反転させた中断信号８０１が制御パケット８００の一部８００ａに付され、出力ポート#3へ送信される。出力ポート#3では、エラーチェック部４３７により、中断信号８０１が除去され、制御パケットの一部８００ａがバッファ４３８に保存される。
【００７５】
その後、優先ルートが設定されている間に、その優先ルートを介してIQデータパケットがIQデータ生成部４１からCPRI機能部４２へ送信される。そして優先ルートの設定が解除されると、送出部４３３は、制御パケット８００の残り８００ｂをバッファ４３２から読み出す。そして送出部４３３にて、制御パケット８００の残り８００ｂに対してFCSが算出される。そして、そのFCSの各ビットまたは所定のビットの値を反転させた中断信号８０２と制御パケット８００のヘッダと同じヘッダ８０３とが制御パケット８００の残り８００ｂに付され、出力ポート#3へ送信される。
【００７６】
出力ポート#3では、エラーチェック部４３７により、中断信号８０２とヘッダ８０３が除去され、制御パケット８００の残り８００ｂが取り出される。そして先に送信された制御パケット８００の一部８００ａとその残り８００ｂとが結合されて制御パケット８００が復元された後、出力される。
【００７７】
以上に説明してきたように、この基地局の無線制御装置において、IQデータパケットが伝送されている間、IQデータ生成部とCPRI機能部とを結ぶスイッチにおいてIQデータパケットが伝送される経路が優先ルートに設定される。そして優先ルートが設定されている間、他のパケットの伝送は停止される。これにより、この基地局は、IQデータの伝送経路においてIQデータの伝送中に輻輳が生じることを防止して、IQデータをCPRIフレームの対応位置に確実に格納できる。そのため、この基地局は、IQデータを含む無線信号の送信タイミングまでにそのIQデータを無線装置へ到達させることができる。
【００７８】
なお、変形例によれば、スイッチ４３は、受信した優先ルート設定要求パケットを、その優先ルート設定要求パケットで指定される入力ポートと接続されるIQデータ生成部４１へ転送してもよい。そしてIQデータ生成部４１は、優先ルート設定要求パケットを受信すると、IQデータパケットを生成し、そのIQデータパケットをスイッチ４３へ送出してもよい。この場合には、要求パケット生成部４３５及び送信パケット選択部４３６は省略されてもよい。そのため、スイッチ４３の構成が簡単化される。
【００７９】
また他の変形例によれば、IQデータ生成部４１が、IQデータパケットの生成及び送出するタイミングを決定してもよい。この場合には、IQデータ生成部４１は、CPRI機能部４２と同期されるよう、例えば、同一のクロック信号がIQデータ生成部４１とCPRI機能部４２とに供給されてもよい。また、IQデータ生成部４１には、IQデータパケットの生成からCPRIフレームへのIQデータの格納に要する所要時間が予め記憶される。そしてIQデータ生成部４１は、CPRIフレームがRE２へ送出されるタイミングからその所要時間だけ前のタイミングになると、IQデータパケットの生成を開始してもよい。この場合には、IQデータ生成部４１から、IQデータパケットの生成が開始される直前に、スイッチ４３に対して優先ルート設定要求パケットが送信されてもよい。この場合、IQデータ生成部４１と接続される入力ポートでは、セレクタ４３１とIQデータ生成部４１の間に、パケット解析部４３４が設けられる。そしてパケット解析部４３４が、IQデータ生成部４１から受け取ったパケットが優先ルート設定要求パケットか否かを判定すればよい。
【００８０】
さらに他の変形例によれば、スイッチ４３も、IQデータ生成部４１及びCPRI機能部４２と予め同期されてもよい。そしてスイッチ４３のスイッチ制御部４４０には、IQデータパケットの生成からCPRIフレームへのIQデータの格納に要する所要時間が予め記憶されてもよい。そしてスイッチ制御部４４０は、CPRIフレームがRE２へ送出されるタイミングからその所要時間だけ前のタイミングになると、上記の実施形態と同様に、IQデータパケットが伝送されるルートに対して優先ルートを設定してもよい。
【００８１】
また他の変形例によれば、CPRI機能部４２のエラーチェック部４２３が、スイッチ４３の出力ポート#3に設けられるエラーチェック部４３７と同様に、伝送が中断された制御パケットか否かの判定及び中断された制御パケットの復元に関する処理を実行してもよい。この場合には、エラーチェック部４３７は、優先ルートが設定されているか否かに応じて、スイッチ本体４４１から受け取ったパケットの出力先をバッファ４３８とセレクタ４３９との間で切り替える処理のみを行えばよい。
【００８２】
さらに他の変形例によれば、セレクタ４３９は、優先ルートが設定されると、バッファ４３８からの制御パケットの読み出しを中断してもよい。そして送出部４３３と同様に、セレクタ４３９は、途中まで読み出された制御パケットの部分に中断信号を付してから出力してもよい。さらにセレクタ４３９は、優先ルートの設定が解除された後に、バッファ４３８から制御信号の残りの部分を読み出して、その残りの部分に中断信号を付してから出力してもよい。この場合には、CPRI機能部４２のエラーチェック部４２３が、スイッチ４３の出力ポートに設けられるエラーチェック部４３７と同様に、伝送が中断された制御パケットか否かの判定及び中断されたパケットの復元に関する処理を実行してもよい。そしてエラーチェック部４２３は、バッファ４２４に、伝送が中断された制御パケットの一部を保存してもよい。あるいは、CPRI機能部４２に、伝送が中断された制御パケットの一部を保存するためのバッファが、バッファ４２４とは別個に設けられてもよい。
【００８３】
さらに他の変形例によれば、各出力ポートには、IQデータ生成部４１及びCPRI機能部４２の何れも接続可能なように、要求パケット生成部４３５、送信パケット選択部４３６、エラーチェック部４３７、バッファ４３８、セレクタ４３９の全てが設けられてもよい。同様に、各入力ポートには、IQデータ生成部４１及びCPRI機能部４２の何れも接続可能なように、セレクタ４３１、バッファ４３２、送出部４３３、パケット解析部４３４の全てが設けられてもよい。
【００８４】
さらに他の変形例によれば、IQデータ生成部と制御信号生成部とは一体的に形成されてもよい（なお、以下では、IQデータ生成部と制御信号生成部とが一体的に形成されたものを便宜上データ生成部と呼ぶ）。この場合、データ生成部は、IQデータパケットだけでなく、必要に応じて制御パケットも生成する。そこで、データ生成部と接続されるスイッチの入力ポートに設けられたセレクタは、データ生成部から受信したパケットの出力先を動的に変更してもよい。すなわち、データ生成部と接続される入力ポートが優先ルートに設定されていなければ、セレクタ４３１は、データ生成部から受け取ったパケットをバッファ４３２に出力する。一方、データ生成部と接続される入力ポートが優先ルートに設定されると、セレクタ４３１は、データ生成部から受け取ったパケットを送出部４３３へ直接出力する。これにより、入力ポート接続されるデータ生成部がIQデータパケットだけでなく、他のパケットを生成する場合でも、スイッチは、優先ルートを適切に設定できる。
【００８５】
ここに挙げられた全ての例及び特定の用語は、読者が、本発明及び当該技術の促進に対する本発明者により寄与された概念を理解することを助ける、教示的な目的において意図されたものであり、本発明の優位性及び劣等性を示すことに関する、本明細書の如何なる例の構成、そのような特定の挙げられた例及び条件に限定しないように解釈されるべきものである。本発明の実施形態は詳細に説明されているが、本発明の精神及び範囲から外れることなく、様々な変更、置換及び修正をこれに加えることが可能であることを理解されたい。
【符号の説明】
【００８６】
１    基地局
２    無線装置（RE）
３    無線制御装置（REC）
４    光ファイバケーブル
２１    アンテナ
２２    無線処理部
３１    有線インターフェース部
３２    記憶部
３３    制御部
４０    制御信号生成部
４１    IQデータ生成部
４２    CPRI機能部
４３    スイッチ
４２１    タイミング決定部
４２２    パケット生成部
４２３    エラーチェック部
４２４    バッファ
４２５    フレーム生成部
４３１    セレクタ
４３２    バッファ
４３３    送出部
４３４    パケット解析部
４３５    要求パケット生成部
４３６    送信パケット選択部
４３７    エラーチェック部
４３８    バッファ
４３９    セレクタ
４４０    スイッチ制御部
４４１    スイッチ本体
【図１】
2018011220.tif 000003
【図２】
2018011220.tif 000004
【図３】
2018011220.tif 000005
【図４】
2018011220.tif 000006
【図５】
2018011220.tif 000007
【図６】
2018011220.tif 000008
【図７】
2018011220.tif 000009
【図８】
2018011220.tif 000010